(57)【特許請求の範囲】
【請求項１】
機器本体の開口部を開閉自在に覆う開閉蓋を有する電子機器において、
前記開閉蓋は、
前記開口部を塞ぐ蓋本体と、
前記蓋本体の両端部側に位置して前記機器本体に固定される一対の固定部と、
前記蓋本体の前記両端部と前記一対の固定部とをねじれ変形可能に連結する一対のねじれ変形連結部とを備え、
前記蓋本体と前記一対の固定部と前記一対のねじれ変形連結部とは、軟質材料によって一体に形成され、
前記一対のねじれ変形連結部は、前記蓋本体の前記両端部と前記一対の固定部との間にそれぞれ形成された一対の切込溝部によって、前記蓋本体と前記一対の固定部とが連続する方向に沿う一辺部側に形成されていることを特徴とする電子機器。
【請求項２】
前記一対の切込溝部における前記一対のねじれ変形連結部に接触する箇所には、前記蓋本体の前記両端部と前記一対の固定部とに食い込む食込み部がそれぞれ形成されていることを特徴とする請求項１に記載の電子機器。
【請求項３】
前記一対のねじれ変形連結部は、その両者を結ぶ直線が前記開口部の領域外を通過する位置に対応する前記機器本体の箇所に位置していることを特徴とする請求項１または２に記載の電子機器。
【請求項４】
前記蓋本体と前記一対の固定部とには、補強板がそれぞれ設けられていることを特徴とする請求項１〜３のいずれかに記載の電子機器。
【請求項５】
前記蓋本体には、前記開口部に着脱可能に密着して挿入するパッキン部が一体に形成されていることを特徴とする請求項１〜４のいずれかに記載の電子機器。
【発明の詳細な説明】
【技術分野】
【０００１】
この発明は、携帯端末機や携帯電話機、電子カメラなどの電子機器に関する。
【背景技術】
【０００２】
従来、電子カメラなどの電子機器においては、特許文献１に記載されているように、機器本体にメモリカードを挿入するための細長い長方形状の開口部を設けると共に、この機器本体に開口部を塞ぐための長方形状の開閉蓋を開閉自在に設け、この開閉蓋を開いて機器本体にメモリカードを挿脱するように構成されたものが知られている。
【先行技術文献】
【特許文献】
【０００３】
【特許文献１】特開２００３−１５２３５１号公報
【０００４】
このような電子機器の開閉蓋構造は、開口部の長手方向に沿う一辺部に対応する機器本体の箇所に一対の支持突起部を設け、開閉蓋の一辺部に一対の連結突起部を設け、この一対の連結突起部を一対の支持突起部の間に配置し、この状態で一対の連結突起部と一対の支持突起部とを連結軸によって回転自在に連結することにより、開閉蓋を開閉自在に機器本体に取り付けた構成になっている。
【発明の概要】
【発明が解決しようとする課題】
【０００５】
しかしながら、このような従来の電子機器における開閉蓋構造では、機器本体に一対の支持突起部を設け、開閉蓋に一対の連結突起部を設け、この一対の連結突起部と機器本体の一対の支持突起部とを連結軸によって回転可能に連結する構成であるから、構造が複雑で、組立作業が煩雑になり、製造コストが高くなるという問題がある。
【０００６】
この発明が解決しようとする課題は、簡単な構造で、製造コストが安く、且つ開閉操作性が良い電子機器を提供することである。
【課題を解決するための手段】
【０００７】
請求項１に記載の発明は、機器本体の開口部を開閉自在に覆う開閉蓋を有する電子機器において、前記開閉蓋は、前記開口部を塞ぐ蓋本体と、前記蓋本体の両端部側に位置して前記機器本体に固定される一対の固定部と、前記蓋本体の前記両端部と前記一対の固定部とをねじれ変形可能に連結する一対のねじれ変形連結部とを備え、前記蓋本体と前記一対の固定部と前記一対のねじれ変形連結部とは、軟質材料によって一体に形成され、前記一対のねじれ変形連結部は、前記蓋本体の前記両端部と前記一対の固定部との間にそれぞれ形成された一対の切込溝部によって、前記蓋本体と前記一対の固定部とが連続する方向に沿う一辺部側に形成されていることを特徴とする電子機器である。
【発明の効果】
【００１４】
この発明によれば、機器本体に固定された一対の固定部に一対のねじれ変形連結部によって連結された蓋本体を機器本体の開口部に対して開閉する際に、一対のねじれ変形連結部がそれぞれねじれ変形することにより、一対のねじれ変形連結部を中心に蓋本体を回転させて機器本体の開口部を開閉させることができるので、蓋本体の開閉操作性が良い。
【００１５】
また、蓋本体の両端部に一対の固定部を一対のねじれ変形連結部によって連結するだけであるから、構造が簡単であると共に、機器本体の開口部に蓋本体を対応させて一対の固定部を機器本体に固定するだけで、簡単に組み付けることができる。このため、簡単な構造で、組み立て作業性が良く、製造コストを安くすることができると共に、蓋本体の開閉操作性が良いものを提供することができる。
【図面の簡単な説明】
【００１６】
【図１】この発明を携帯端末機に適用した一実施形態を示した正面図である。
【図２】図１の携帯端末機を斜め下側から見た斜視図である。
【図３】図２の携帯端末機において要部を示した拡大斜視図である。
【図４】図３の開閉蓋を示し、（ａ）はその拡大正面図、（ｂ）はその拡大裏面図、（ｃ）は蓋本体を回転させて開いた状態を示した拡大正面図である
【図５】図３のＡ−Ａ矢視において一部を省略した拡大断面図である。
【図６】図３のＢ−Ｂ矢視における拡大断面図である。
【図７】図２の携帯端末機において蓋本体を開いた状態を示した斜視図である。
【図８】図７の携帯端末機において要部を示した拡大斜視図である。
【図９】図４の開閉蓋において切込溝部の各変形例を示し、（ａ）はその第１変形例を示した要部の拡大正面図、（ｂ）はその第２変形例を示した要部の拡大正面図、（ｃ）はその第３変形例を示した要部の拡大正面図である。
【発明を実施するための形態】
【００１７】
以下、図１〜図８を参照して、この発明を携帯端末機に適用した一実施形態について説明する。
この携帯端末機は、ＰＤＡ（パーソナル・デジタル・アシスタント）であり、図１および図２に示すように、機器本体１を備えている。この機器本体１は、上部ケース２と下部ケース３とで構成されている。
【００１８】
上部ケース２の上面には、図１に示すように、入力表示部４とキー入力部５とが設けられている。入力表示部４は、透明なタッチパネルの下に表示パネルを重ね合わせたものであり、透明タッチパネルを通して表示パネルに表示された情報を見ながら、タッチペンで透明なタッチパネルをタッチ操作することにより、情報を入力するように構成されている。キー入力部５は、テンキー、決定キーなどの各種のキーを備え、この各種のキーをキー操作することにより、そのキー操作に応じて情報を入力するように構成されている。
【００１９】
また、このキー入力部５側に位置する機器本体１の内部には、図７および図８に示すように、メモリカード６が挿脱可能に挿入するカード装着部７が設けられている。この場合、カード装着部７に対応する機器本体１の下部ケース３は、その底部が下側に少し膨らんだ状態で形成されている。この下部ケース３におけるキー入力部５側に位置する端部の側面には、図７および図８に示すように、メモリカード６が挿通する開口部８が設けられている。この開口部８は、下部ケース３の端部の側面（図７では左側の側面）に横方向（図７では左右方向）に細長い長方形状に形成されている。
【００２０】
また、この下部ケース３の端部側面には、図２〜図８に示すように、開口部８を開閉自在に覆う開閉蓋１０が取り付けられている。この開閉蓋１０は、図４〜図６に示すように、開口部８を塞ぐ蓋本体１１と、この蓋本体１１の両端部側に位置して機器本体１の下部ケース３の端部側面に固定される一対の固定部１２と、蓋本体１１の両端部と一対の固定部１２とをねじれ変形可能に連結する一対のねじれ変形連結部１３とを備えている。
【００２１】
蓋本体１１は、図２〜図８に示すように、開口部８の外形よりも少し大きい横長のほぼ逆台形状に形成されている。一対の固定部１２は、その一辺の長さが蓋本体１１の両端部における上下方向の長さとほぼ同じ長さの四角形状に形成されている。一対のねじれ変形連結部１３は、蓋本体１１の両端部における上部と一対の固定部１２の上部との間に形成されている。
【００２２】
これら蓋本体１１と一対の固定部１２と一対のねじれ変形連結部１３とは、シリコーンゴム、ウレタンゴム、塩化ビニルなどの軟質材料によって一体に形成されている。この場合、軟質材料としては、靭性の高いシリコーンゴムが好ましい。これにより、蓋本体１１は、図４（ａ）〜図４（ｃ）に示すように、一対のねじれ変形連結部１３がそれぞれ弾力的にねじれ変形することにより、この一対のねじれ変形連結部１３を中心に上下方向に回転するように構成されている。
【００２３】
この場合、一対のねじれ変形連結部１３は、図２〜図４に示すように、蓋本体１１の両端部と一対の固定部１２との間にそれぞれ形成された一対の切込溝部１４によって形成されている。この切込溝部１４は、図４（ａ）および図４（ｂ）に示すように、蓋本体１１の両端部と一対の固定部１２との間において下端部から上辺側に向けて形成されている。この場合、切込溝部１４は、全体がほぼＴ字形状に形成されている。
【００２４】
すなわち、この切込溝部１４の上部には、蓋本体１１と一対の固定部１２とに食い込む食込み部１４ａが形成されている。これにより、一対のねじれ変形連結部１３は、図４（ａ）に示すように、一対の切込溝部１４の上部に形成された食込み部１４ａが蓋本体１１と一対の固定部１２とに食い込んでいることにより、蓋本体１１と一対の固定部１２とが連続する方向（図４（ａ）では左右方向）に沿う一対のねじれ変形連結部１３の長さ（Ｌ）が、一対の切込溝部１４の下部側の各溝幅（Ｗ）よりも長く形成されている。
【００２５】
すなわち、一対のねじれ変形連結部１３は、図４（ａ）および図４（ｂ）に示すように、一対の切込溝部１４における一対のねじれ変形連結部１３に接触する箇所が、食込み部１４ａによって蓋本体１１と一対の固定部１２とが連続する方向（図４（ａ）では左右方向）に沿って長く形成されていることにより、蓋本体と一対の固定部１２とが連続する方向の長さが切込溝部１４の下部側の各溝幅（Ｗ）よりも長い所定の長さ（Ｌ）に形成されている。
【００２６】
これにより、一対のねじれ変形連結部１３は、その断面形状が一定の状態で、所定の長さ（Ｌ）に形成されていることにより、一対の固定部１２に対して蓋本体１１が上下方向に回転する際に、弾力的にねじれ易くなり、蓋本体１１の回転力が最適になると共に、蓋本体１１が元の位置に戻る復帰力も最適になるように構成されている。
【００２７】
この場合、一対のねじれ変形連結部１３は、その長さが所定の長さ（Ｌ）よりも短いと、一対の固定部１２に対して蓋本体１１が回転する際に、ねじれ難くなり、蓋本体１１の回転力が大きくなると共に、蓋本体１１が元の位置に戻る復帰力も大きくなるので、蓋本体１１の開閉操作性が低下する。また逆に、一対のねじれ変形連結部１３は、その長さが所定の長さ（Ｌ）よりも長く形成されていると、一対の固定部１２に対して蓋本体１１が回転する際に、伸び易くなるため、蓋本体１１の回転動作が不安定になると共に、耐久性が低下し、破損し易くなる。
【００２８】
また、一対のねじれ変形連結部１３は、図７および図８に示すように、その両者を結ぶ直線が開口部８の領域外における上部側を通過する位置、つまり開口部８の上辺部よりも少し上側に位置する箇所に対応した状態で、下部ケース３の端部側面に位置している。すなわち、この一対のねじれ変形連結部１３は、開口部８の上辺部よりも少し上側に位置する箇所に対応していることにより、蓋本体１１を上方に回転させた際に、開口部８が完全に露出するように構成されている。
【００２９】
一方、蓋本体１１と一対の固定部１２とには、図４〜図６に示すように、補強板１５がそれぞれ設けられている。この補強板１５は、蓋本体１１と一対の固定部１２とを補強するためのものであり、硬質の合成樹脂または金属からなり、蓋本体１１と一対の固定部１２との各内面に接着剤または嵌め込みによって取り付けられている。
【００３０】
この場合、一対の固定部１２に取り付けられた補強板１５には、図４〜図６に示すように、一対の固定部１２を下部ケース３の端部側面に固定するためのビス１６が挿入するビス挿入孔１５ａがそれぞれ設けられている。これに伴って、一対の固定部１２には、ビス１６の頭部が配置する座ぐり孔１２ａが設けられている。
【００３１】
また、蓋本体１１の内面には、図４〜図６に示すように、機器本体１の下部ケース３に設けられた開口部８に着脱可能に密着して挿入するパッキン部１７が一体に形成されている。このパッキン部１７は、蓋本体１１と同じ軟質材料からなり、全体が枠形状に形成されている。すなわち、このパッキン部１７は、その外周面が開口部８の内周面とほぼ同じ大きさに形成され、その内部にカード装着部７に装着されてカード装着部７から突出したメモリカード６の端部が挿入するように構成されている。
【００３２】
この場合、パッキン部１７の外周部には、図５および図６に示すように、パッキン部１７が下部ケース３の開口部８に挿入された際に、開口部８の周縁部における内面に弾接して蓋本体１１の内面を開口部８の周縁部における外面に弾接させて弾力的に挟み付けるための弾接突起部１８が、パッキン部１７の全周に沿って連続して設けられている。
【００３３】
この弾接突起部１８には、図５および図６に示すように、下部ケース３の内側に位置する先端部から蓋本体１１側に向けて傾斜する傾斜面１８ａが形成されている。これにより、弾接突起部１８は、パッキン部１７が開口部８内に挿入する際に、開口部８の縁部が傾斜面１８ａに沿って相対的に移動しながら弾性変形して開口部８内に挿入し、またパッキン部１７を開口部８内から抜き出す際に、傾斜面１８ａによって容易に弾性変形して抜け出すように構成されている。
【００３４】
このような携帯端末機の開閉蓋構造によれば、開閉蓋１０が、機器本体１の下部ケース３に設けられた開口部８を塞ぐ蓋本体１１と、この蓋本体１１の両端部側に位置して下部ケース３に固定される一対の固定部１２と、蓋本体１１の両端部と一対の固定部１２とをねじれ変形可能に連結する一対のねじれ変形連結部１３とを備えた構成であるから、簡単な構造で、製造コストが安く、且つ開閉操作性が良いものを提供することができる。
【００３５】
すなわち、機器本体１の下部ケース３に固定された一対の固定部１２に一対のねじれ変形連結部１３によって連結された蓋本体１１を下部ケース３に設けられた開口部８に対して開閉する際に、一対のねじれ変形連結部１３がそれぞれねじれ変形することにより、一対のねじれ変形連結部１３を中心に蓋本体１１を回転させて下部ケース３の開口部８を開閉させることができるので、蓋本体１１の開閉操作性が良い。
【００３６】
また、蓋本体１１の両端部に一対の固定部１２を一対のねじれ変形連結部１３によって連結しただけの構成であるから、構造が簡単であり、また機器本体１の下部ケース３に設けられた開口部８に蓋本体１１を対応させて一対の固定部１２を機器本体１の下部ケース３にビス１６によって固定するだけで良いので、容易に組み付けることができる。これにより、構造が簡単で、組み立て作業性が良く、製造コストを安くすることができると共に、蓋本体１１の開閉操作性の良いものを提供することができる。
【００３７】
この場合、蓋本体１１と一対の固定部１２と一対のねじれ変形連結部１３とは、シリコーンゴムなどの軟質材料によって一体に形成されているので、蓋本体１１と一対の固定部１２とをねじれ変形可能に連結する一対のねじれ変形連結部１３を備えていても、簡単に開閉蓋１０を成形することができる。このため、生産性の向上を図ることができると共に、部品点数を最小限に減らすことができ、これにより低価格化を図ることができる。
【００３８】
また、一対のねじれ変形連結部１３は、蓋本体１１の両端部と一対の固定部１２との間にそれぞれ形成された一対の切込溝部１４によって、蓋本体１１と一対の固定部１２とにおける両者の連続方向に沿う一辺部側、つまり蓋本体１１と一対の固定部１２との上辺部側に形成されているので、開閉蓋１０を製作する際に、蓋本体１１の両端部と一対の固定部１２との間にそれぞれ切込溝部１４を形成すだけで、簡単に蓋本体１１と一対の固定部１２とをねじれ変形可能に連結する一対のねじれ変形連結部１３を形成することができる。
【００３９】
この場合、一対の切込溝部１４における一対のねじれ変形連結部１３に接触する箇所は、蓋本体１１の両端部と一対の固定部１２とに食い込む食込み部１４ａがそれぞれ形成されているので、この食込み部１４ａによって蓋本体１１と一対の固定部１２とが連続する方向に沿う一対のねじれ変形連結部１３の長さを一対の切込溝部１４の各溝幅（Ｗ）よりも長い所定の長さ（Ｌ）に形成することができ、これにより一対の固定部１２に対して蓋本体１１が回転する際に、一対のねじれ変形連結部１３が容易にねじれるようにすることができる。
【００４０】
すなわち、一対のねじれ変形連結部１３は、その長さが食込み部１４ａによって所定の長さ（Ｌ）に形成されていることにより、一対の固定部１２に対して蓋本体１１が回転する際に、弾力的にねじれ易くことができ、これにより蓋本体１１の回転力を最適な状態にすることができると共に、蓋本体１１が元の位置に戻る復帰力も最適な状態にすることができ、このため蓋本体１１の開閉操作性を向上させることができる。
【００４１】
すなわち、蓋本体１１を開く際には、一対のねじれ変形連結部１３のねじれに伴う弾性力が蓋本体１１に付与されるので、蓋本体１１を安定した状態で良好に開く方向に回転させることができる。また、蓋本体１１を閉じる際には、一対のねじれ変形連結部１３のねじれ変形に伴う弾性復帰力が蓋本体１１に付与されるので、蓋本体１１を閉じる方向に自動的に且つ良好に回転させることができる。
【００４２】
この場合、一対のねじれ変形連結部１３の長さが所定の長さ（Ｌ）よりも短く形成されていると、一対の固定部１２に対して蓋本体１１が回転する際に、一対のねじれ変形連結部１３がねじれ難くなり、蓋本体１１の回転力が大きくなると共に、元の位置に戻る復帰力も大きくなるので、蓋本体１１の開閉操作性が低下する。また逆に、一対のねじれ変形連結部１３の長さが所定の長さ（Ｌ）よりも長く形成されていると、一対の固定部１２に対して蓋本体１１が回転する際に、一対のねじれ変形連結部１３が伸び易くなるため、蓋本体１１の回転動作が不安定になると共に、耐久性が低下し、破損し易くなる。
【００４３】
また、一対のねじれ変形連結部１３は、その両者を結ぶ直線が開口部８の領域外を通過する位置に対応する下部ケース３の箇所に位置しているので、一対のねじれ変形連結部１３を中心に蓋本体１１を回転させた際に、蓋本体１１を機器本体１の下部ケース３に設けられた開口部８の領域外に回転移動させることができ、これにより開口部８を完全に露出させた状態で良好に開くことができる。
【００４４】
すなわち、一対のねじれ変形連結部１３は、機器本体１の下部ケース３における開口部８の上辺部の両側上方に対応する箇所に位置しているので、一対のねじれ変形連結部１３を中心に蓋本体１１を上方に回転させた際に、蓋本体１１を機器本体１の下部ケース３に設けられた開口部８の上方に回転移動させることができ、これにより開口部８を完全に且つ良好に露出させることができる。このため、メモリカード６を下部ケース３の開口部８から機器本体１内のカード装着部７に容易に且つ良好に挿入させることができる。
【００４５】
また、蓋本体１１と一対の固定部１２とには、補強板１５がそれぞれ設けられていることにより、蓋本体１１と一対の固定部１２とがシリコーンゴムなどの軟質材料で形成されていても、補強板１５によって蓋本体１１と一対の固定部１２とを補強することができる。このため、蓋本体１１を開閉する際に、その開閉力を一対のねじれ変形連結部１３に集中させることができ、これにより良好に一対のねじれ変形連結部１３をねじれ変形させることができるほか、一対の固定部１２を機器本体１の下部ケース３にビス１６によって固定する際に、一対の固定部１２を下部ケース３に確実に且つ強固に固定することできる。
【００４６】
さらに、蓋本体１１には、機器本体１の下部ケース３に設けられた開口部８に着脱可能に密着して挿入するパッキン部１７が一体に形成されているので、開口部８を確実に且つ良好に密閉することができ、これにより水滴や塵埃が機器本体１内に侵入するのを確実に防ぐことができる。この場合、蓋本体１１を開閉する際に、パッキン部１７が開口部８内に挿入して密着する構成であっても、蓋本体１１に補強板１５が設けられていることにより、蓋本体１１を円滑に且つ良好に開閉することができる。
【００４７】
また、このパッキン部１７の外周部には、パッキン部１７が下部ケース３の開口部８に挿入された際に、開口部８の周縁部における内面に弾接して蓋本体１１の内面を開口部８の周縁部における外面に弾接させる弾接突起部１８が、パッキン部１７の全周に沿って連続して設けられているので、パッキン部１７を開口部８に確実に密着させることができ、より一層、気密性を確保することができる。
【００４８】
この場合、弾接突起部１８には、下部ケース３の内側に位置する先端部から蓋本体１１側に向けて傾斜する傾斜面１８ａが形成されていることにより、弾接突起部１８が開口部８内に挿入する際に、開口部８の縁部が傾斜面１８ａに沿って相対的に移動しながらパッキン部１７を弾性変形させることができるので、パッキン部１７を開口部８内に円滑に且つ容易に挿入させることができる。また、パッキン部１７を開口部８内から抜き出す際には、傾斜面１８ａによって弾接突起部１８を容易に弾性変形させることができるので、パッキン部１７を開口部８内から容易に且つ円滑に抜き出すことができる。
【００４９】
なお、上述した実施形態では、蓋本体１１と一対の固定部１２との間に設けられた切込溝部１４をＴ字形状に形成した場合について述べたが、これに限らず、例えば図９（ａ）〜図９（ｃ）にそれぞれ示す第１〜第３の各変形例のように形成しても良い。すなわち、図９（ａ）に示された第１変形例のように、切込溝部２０の幅（Ｗ１）を広くして、ねじれ変形連結部１３の長さを所定の長さ（Ｌ＝Ｗ１）に形成しても良い。
【００５０】
また、図９（ｂ）に示された第２変形例のように、切込溝部１４の上部に逆三角形状または逆台形状の食込み部２１を形成して、ねじれ変形連結部１３の長さを、切込溝部１４の溝幅（Ｗ）よりも長い所定の長さ（Ｌ）に形成しても良い。さらに、図９（ｃ）に示された第３変形例のように、切込溝部１４の上部に円形状または楕円形状の食込み部２２を形成して、ねじれ変形連結部１３の長さを、切込溝部１４の溝幅（Ｗ）よりも長い所定の長さ（Ｌ）に形成しても良い。
【００５１】
また、上述した実施形態では、蓋本体１１の両端部と一対の固定部１２との間に切込溝部１４を下端部から上辺部側に向けて形成することにより、蓋本体１１と一対の固定部１２との上辺部側に一対のねじれ変形連結部１３を設けた場合について述べたが、これに限らず、蓋本体１１の両端部と一対の固定部１２との間に切込溝部１４を上端部から下辺部側に向けて形成することにより、蓋本体１１と一対の固定部１２との下辺部側に一対のねじれ変形連結部１３を設けた構成でも良い。要するに、一対のねじれ変形連結部１３は、その両者を結ぶ直線が開口部８の領域外を通過する位置に対応する箇所に位置していれば良い。
【００５２】
さらに、上述した実施形態では、蓋本体１１と一対の固定部１２と一対のねじれ変形連結部１３とをシリコーンゴムなどの軟質材料によって一体に形成した場合について述べたが、必ずしも同じ軟質材料で一体に形成する必要はなく、例えば２色成形によって異なる軟質材料で一体的に形成した構成であっても良く、またねじれ変形連結部１３は必ずしも軟質材料である必要はなく、コイルばねであっても良い。この場合には、コイルばねをインサート成形によって蓋本体１１の両端部と一対の固定部１２との間に一体的に形成すれば良い。
【００５３】
また、上述した実施形態では、蓋本体１１と一対の固定部１２とに補強板１５を接着剤または嵌め込みによって取り付けた場合について述べたが、これに限らず、蓋本体１１と一対の固定部１２とに補強板１５をインサート成形によって一体に形成しても良い。
【００５４】
さらに、上述した実施形態では、機器本体１内にメモリカード６が挿入するカード装着部７を設け、このカード装着部７に対応する下部ケース３の箇所に開口部８を設けた場合について述べたが、これに限らず、外部機器と電気的に接続するためのＵＳＢコネクタや電源ジャックなどのコネクタが設けられた機器本体１の箇所に開口部８を設け、この開口部８に開閉蓋１０を取り付ける場合にも適用することができる。
【００５５】
なおまた、上述した実施形態およびその各変形例では、ＰＤＡ（パーソナル・デジタル・アシスタント）などの携帯端末機に適用した場合について述べたが、必ずしも携帯端末機である必要はなく、例えば携帯電話機や電子カメラ、電子辞書などの携帯型の電子機器に適用することができるほか、携帯型の電子機器に限らず、電子レジスタやパーソナルコンピュータなどの各種の電子機器に広く適用することができる。
【符号の説明】
【００５６】
１  機器本体
２  上部ケース
３  下部ケース
６  メモリカード
７  カード装着部
８  開口部
１０  開閉蓋
１１  蓋本体
１２  一対の固定部
１３  一対のねじれ変形連結部
１４、２０  切込溝部
１４ａ、２１、２２  食込み部
１５  補強板
１７  パッキン部
１８  弾接突起部
【図１】
0005515620.tif 000002
【図２】
0005515620.tif 000003
【図３】
0005515620.tif 000004
【図４】
0005515620.tif 000005
【図５】
0005515620.tif 000006
【図６】
0005515620.tif 000007
【図７】
0005515620.tif 000008
【図８】
0005515620.tif 000009
【図９】
0005515620.tif 000010